(57)【要約】【課題】空気調和機の本体に内蔵されたフィルタ清掃部のブラシがフィルタのごみを除去する構造とするとともに、フィルタに付着した粘着性のあるごみでも剥がすことのできる清掃能力を高めた空気調和機を提供する。【解決手段】フィルタ５の空気の吸込側である上面にごみが付着するので、集塵ボックス１３ａの上部を構成するトップカバー１９内の第２清掃ブラシ１８に、永久磁石２１を備えた取付台座２０と、同取付台座２０を保持し、前記永久磁石２１に対応する電磁石２３を備えた電磁ボックス２２と、同電磁ボックス２２を支持する前記トップカバー１９内壁より垂下させる支持具１６とで構成し、電磁石２３の極性を反転させることを繰り返しすことにより振動を与える加振手段を設けるとともに、前記第２清掃ブラシ１８を、加振手段に着脱自在に装着するものである。【選択図】  図３
2005009756.tif 000002
【特許請求の範囲】
【請求項１】
本体に設けられた吸込口と吹出口とを結ぶ空気通路に、除塵用のフィルタを配置してなる空気調和機において、
前記フィルタを往復的にスライド可能に装着するとともに、前記本体内に、前記フィルタの少なくとも表面を清掃するブラシと、同ブラシに振動を与える加振手段とからなるフィルタ清掃装置を設けてなることを特徴とする空気調和機。
【請求項２】
前記加振手段を、前記ブラシが取付けられる永久磁石と、同永久磁石に対向して配置され、極性の切り換えにより前記永久磁石を駆動する電磁石とから構成してなることを特徴とする請求項１に記載の空気調和機。
【請求項３】
前記加振手段を、モータと、同モータの回転軸に取付けられ、同回転軸の回転により前記ブラシに振動を与えるカムとから構成してなることを特徴とする請求項１に記載の空気調和機。
【請求項４】
前記加振手段を、前記フィルタの表面に、同フィルタのスライド方向に沿って設けられる凹凸部と、同凹凸部に対向して前記ブラシの側面に設けられる突出部とから構成してなることを特徴とする請求項１に記載の空気調和機。
【請求項５】
前記ブラシを、前記加振手段に着脱自在に装着してなることを特徴とする請求項２または３に記載の空気調和機。
【発明の詳細な説明】
【０００１】
【発明の属する技術分野】
本発明は、空気調和機に係わり、より詳細には本体に内蔵されたフィルタ清掃部に備えられたブラシがフィルタのごみを除去する構造において、このフィルタに付着するごみの除去を容易にするための構造に関する。
【０００２】
【従来の技術】
従来の空気調和機は、例えば本体の前面から上面にかけて設けられた吸込口と本体の下部に設けられた吹出口とを結ぶ空気通路に、フィルタと熱交換器と送風機とフィルタ清掃装置を備えた空気調和機において、フィルタを本体筐体の吸込口の内側に沿って回動させる回動手段と、フィルタ上のごみを除去するごみ除去手段とごみ収納部とから構成されるフィルタ清掃装置を備え、複雑に折れ曲がったフィルタ上のごみを自動的に清掃する機能付きの空気調和機がある（例えば、特許文献１参照。）。
【０００３】
また、特願２００２−１８７７０８に記載されているように、本体内に、フィルタを本体の内外に向けて往復的に移動させるスライド手段と、フィルタの移動経路に沿ってフィルタと接触するように配置されたフィルタ清掃部を設けた構造としたものがある。そしてこのフィルタ清掃部は、フィルタの一方の面のごみを除去する第１清掃ブラシを有するボトムカバーと、同ボトムカバーに開閉可能に取付られ、フィルタの他方の面を除去する第２清掃ブラシを有するトップカバーとを備えた集塵ボックスから構成されている。
【０００４】
しかしながら、いずれの従来例においても、フィルタ上に溜まったごみをブラシなどで掻き出して除去する構造であり、フイルタに付着したごみに油性や湿気等を含んだ粘着性があると、フィルタをスライド移動させ、ブラシと接触させるだけでは、フイルタからごみが取れ難く、フィルタに付着したごみを取り残す恐れのある問題点を有していた。
【０００５】
【特許文献１】
特開２００２−５５０４号公報（第１頁、第１図）
【０００６】
【発明が解決しようとする課題】
本発明においては、上記の問題点に鑑み、空気調和機の本体に内蔵されたフィルタ清掃部のブラシがフィルタのごみを除去する構造とするとともに、フィルタに付着した粘着性のあるごみでも剥がすことのできる清掃能力を高めた空気調和機を提供することを目的とする。
【０００７】
【課題を解決するための手段】
本発明は、上記問題点を解決するため、本体に設けられた吸込口と吹出口とを結ぶ空気通路に、除塵用のフィルタを配置してなる空気調和機において、
前記フィルタを往復的にスライド可能に装着するとともに、前記本体内に、前記フィルタの少なくとも表面を清掃するブラシと、同ブラシに振動を与える加振手段とからなるフィルタ清掃装置を設けた構成となっている。
【０００８】
前記加振手段を、前記ブラシが取付けられる永久磁石と、同永久磁石に対向して配置され、極性の切り換えにより前記永久磁石を駆動する電磁石とから構成している。
【０００９】
前記加振手段を、モータと、同モータの回転軸に取付けられ、同回転軸の回転により前記ブラシに振動を与えるカムとから構成している。
【００１０】
前記加振手段を、前記フィルタの表面に、同フィルタのスライド方向に沿って設けられる凹凸部と、同凹凸部に対向して前記ブラシの側面に設けられる突出部とから構成している。
【００１１】
前記ブラシを、前記加振手段に着脱自在に装着した構成となっている。
【００１２】
【発明の実施の形態】
以下、本発明の実施の形態を、添付図面に基づいた実施例として説明する。図１は本発明による空気調和機の概略構成を示す要部断面図であり、図２は本発明による空気調和機のフィルタを本体外に引き出した状態を示す要部断面図であり、図３は本発明による第一の実施例のフィルタ清掃装置を示す要部拡大断面図であり、図４は本発明による第一の実施例のブラシの構成を示す要部拡大斜視図（Ａ）と動作を説明する説明図（Ｂ）であり、図５は本発明による第二の実施例のフィルタ清掃装置を示す要部拡大断面図であり、図６は本発明による第二の実施例のブラシの構成を示す要部拡大斜視図（Ａ）と動作を説明する説明図（Ｂ）であり、図７は本発明の第三の実施例のフィルタ清掃装置の要部上面図（Ａ）および要部拡大上面図（Ｂ）であり、図８は本発明の第三の実施例の動作を説明する説明図である。
なお、従来と同じ部分の符号は同一とする。
【００１３】
図１および図２において、１は空気調和機の本体、２は本体１の前面から上面にかけて形成された吸込口、３は本体１の下部に形成された吹出口である。吸込口２と吹出口３を結ぶ空気通路４には、空気中の粗ごみを取り除くフィルタ５と送風機６、熱交換器７が配置されている。熱交換器７は、ドレンパン８の上部に配置された略垂直部７ａと、その後方から傾斜させた傾斜部７ｂとより形成されている。
【００１４】
９はベースで、同ベース９の上端側には上面パネル１０が取り付けられ、下端側には前面パネル１１が取り付けられている。同前面パネル１１はベース９の両側板を覆うように形成された左右一対の側板を含み、ベース９に着脱可能に固定されている。前面パネル１１の前面には、フィルタ５が本体１外に引出される際に開閉される開閉パネル１２が一体的に設けられている。
【００１５】
図２で示すように、開閉パネル１２は、上端側を中心に回転可能に軸支されており、フィルタ５の往方向移動時には、他端側がフィルタ５によって持ち上げられ、フィルタ５が本体１外に引出される。フィルタ５は、上面パネル１０の吸込口２と熱交換器７との間に設けられ、熱交換器７に向かう空気中に含まれるごみを除去する。
１３はフィルタ５に付着したごみを清掃するためのフィルタ清掃装置である。
【００１６】
フィルタ清掃装置１３は、図３の要部拡大断面図で示すように、ボトムカバー１７と、トップカバー１９とからなる集塵ボックス１３ａを設け、フィルタ５を本体の内外に向けて往復的に移動させるスライド手段１４（駆動モータ）と、フィルタ５の一方の面のごみを除去する第１清掃ブラシ１５を有するボトムカバー１７と、フィルタの他方の面のごみを除去する第２清掃ブラシ１８を有するトップカバー１９とから構成されている。
【００１７】
本発明の第一の実施例は、前記フィルタ５の空気の吸込側である上面にごみが付着するので、前記集塵ボックス１３ａの上部を構成する前記トップカバー１９内の第２清掃ブラシ１８に、永久磁石２１を備えた取付台座２０と、同取付台座２０を保持し、前記永久磁石２１に対応する電磁石２３を備えた電磁ボックス２２と、同電磁ボックス２２を支持する前記トップカバー１９内壁より垂下させる支持具１６とで構成し、電磁石２３の極性を反転させることを繰り返しすことにより振動を与える加振手段を設けるとともに、前記第２清掃ブラシ１８を、前記加振手段に着脱自在に装着するものである。
【００１８】
図４は本発明の第一の実施例のブラシの構成を示す要部拡大斜視図（Ａ）と動作を説明する説明図（Ｂ）であり、前記第２清掃ブラシ１８の柄に複数の突出部１８ａを設け、同突出部１８ａに嵌め込めるように形成したリング状の凹部２０ａを備えた複数の永久磁石２１をＳ極とＮ極を交互に取り付ける取付台座２０を設け、同取付台座２０を係合爪２２ａで保持し、前記トップカバー１９内壁より垂下させる支持具１６と着脱自在に支持される凹部２２ｂを備え、前記永久磁石２１に対応する電磁石２３を取り付けた電磁ボックス２２を設け、同電磁ボックス２２の電磁石２３の極性をコイル２３ａへ長す電流の方向を反転させ、磁界の切り替えを繰り返し行うことにより、永久磁石２１を備えた取付台座２０が前記電磁石２３の極性の反転に伴い吸引、反発を起こし振動するようにするもので、取付台座２０の振動により前記第２清掃ブラシ１８を水平方向に振動させ、前記フィルタ５の上面のごみを除去するようにしている。
【００１９】
なお、上下方向への振動を構成したい場合は、前記永久磁石２１およびそれに対応する前記電磁石２３の配置を、上下方向に配置することにより可能となる。（図示せず）
【００２０】
また、前記電磁ボックス２２に取り付けられる前記電磁石２３を横方向に順次並べ、次々に磁界を移動させることにより、前記取付台座２０がスライドし、前記第２清掃ブラシ１８を前記フィルタ５の上面を水平方向に摺動させることもできる。この場合、前記第２清掃ブラシ１８、前記取付台座２０、前記電磁ボックス２２の長さを摺動する長さに応じて短くしておく必要がある。（図示せず）
【００２１】
図５は本発明の第二の実施例の要部拡大断面図であり、図６は本発明の第二の実施例のブラシの構成を示す要部拡大斜視図（Ａ）と動作を説明する説明図（Ｂ）である。第一の実施例との違いは、駆動モータ２４により前記第２清掃ブラシ１８を加振させるもので、前記駆動モータ２４に一つ以上の突部２５ａを備えたカム２５を設け、前記駆動モータ２４の回転に伴い、前記カム２５が回転し、前記カム２５に設けた突部２５ａが前記第２清掃ブラシ１８の背面を押し付け、前記駆動モータ２４の回転が進むと、前記第２清掃ブラシ１８の背面から前記カム２５に設けた突部２５ａが外れ、元の位置へ戻る。前記駆動モータ２４の回転が連続することにより、この動作を繰り返し、前記第２清掃ブラシ１８を前後に振動するようにしている。
【００２２】
また、前記第２清掃ブラシ１８は、前記トップカバー１９内壁より垂下させる支持具２６の先端部に凹溝部２６ａを前記第２清掃ブラシ１８を着脱自在に上下から挟み込むように複数設け、前記凹溝部２６ａの幅は前後振動の幅よりやや大きめに形成し、前記凹溝部２６ａ内の一端から前記第２清掃ブラシ１８の柄の下面端にバネ２６ｂを付設しており、前記凹溝部２６ａ内で前後振動を行わせるようにしている。また、前記駆動モータ２４は前記トップカバー１９内壁より垂下させる取付具２７により取り付ける。
【００２３】
前記駆動モータ２４が連続して回転することにより、前記第２清掃ブラシ１８はスライド移動する前記フィルタ５の上面を前後に振動し、前記フィルタ５の上面のごみを除去するようにしている。
【００２４】
なお、上記本発明の第二の実施例において、前記カム２５に設けた突部２５ａが前記第２清掃ブラシ１８の背面を押し付けることにより、前記第２清掃ブラシ１８を前後に振動するようにしているが、前記第２清掃ブラシ１８の背面に、前記カム２５に設けた突部２５ａが当接する凸部を設け、前記第２清掃ブラシ１８の柄の側端にバネを付設するように構成することにより、前記駆動モータ２４が連続して回転すると、前記突部２５ａが前記第２清掃ブラシ１８の背面に設けた凸部に当接し、前記第２清掃ブラシ１８はスライド移動する前記フィルタ５の上面を上下方向（もしくはカム２５の凸部への当接方向を第２清掃ブラシ１８と平行させれば水平方向）に振動させることができる。（図示せず）
【００２５】
図７は本発明の第三の実施例のフィルタ清掃装置の要部上面図（Ａ）および要部拡大上面図（Ｂ）であり、図８は本発明の第三の実施例の動作を説明する説明図である。第一および第二の実施例との違いは、加振手段として電動機能を用いるのではなく、前記フィルタ５のスライド移動と前記第２清掃ブラシ１８との構成により前記第２清掃ブラシ１８を加振させるものであり、安価なコストで加振手段を備えるものである。
【００２６】
前記フィルタ５の中央裏面には、同フィルタ５をスライド移動させるラック歯からなるラック部がスライド方向に沿って平行に設けられている。本発明の第三の実施例は、前記ラック部と表裏の位置関係にあたる前記フィルタ５の中央上面に、同フィルタ５のスライド方向に沿って凹凸部２８を連続して設け、前記第２清掃ブラシ１８を２分割し、２分割したそれぞれの前記第２清掃ブラシ１８の前記フィルタ５の中央側の側面に棒状の突出部２９を設け、他端にバネ３０を付設するように構成している。
【００２７】
そして、それぞれの前記第２清掃ブラシ１８に設けた前記突出部２９を、前記フィルタ５の中央上面に形成した凹凸部２８の凹部２８ａに配置し、図８で示すように、前記フィルタ５がスライド移動すると、前記フィルタ５の中央上面に連続して設けた凹凸部２８もスライド方向に移動する。その移動に伴い、それぞれの前記第２清掃ブラシ１８の前記突出部２９は、前記フィルタ５の凹部２８ａから凸部２８ｂへと移動する。移動することによりそれぞれの前記第２清掃ブラシ１８が左右方向に動作し、前記フィルタ５のスライド移動に連動し、この動作が連続して起こり、それぞれの前記第２清掃ブラシ１８は、前記フィルタ５の上面を水平方向に振動することとなる。
【００２８】
なお、上記実施例において、前記フィルタ５の中央上面に凹凸部２８を設け、また、前記第２清掃ブラシ１８を２分割としているが、前記凹凸部２８の形状や位置および前記第２清掃ブラシ１８の分割等は、特に限定されず適宜変更してもよい。
【００２９】
上記構成において、前記第２清掃ブラシ１８を加振させるとともに、同第２清掃ブラシ１８を着脱自在に設けたもので、前記第２清掃ブラシ１８を加振させることにより、前記フイルタ５に付着した粘着性のごみでも剥がすことができ、また、前記第２清掃ブラシ１８を取り外し洗浄もしくは磨耗時の交換ができるようになり、前記フィルタ５に粘着性のごみが付着し、前記フィルタ５からごみが取れ難く、前記フィルタ５に付着したごみを取り残す恐れのある問題点をなくすことができる。
【００３０】
【発明の効果】
以上説明したように、本発明による空気調和機によれば、空気調和機の本体に内蔵されたフィルタ清掃部のブラシがフィルタの塵埃を清掃する構造とするとともに、フィルタに付着した粘着性のあるごみでも剥がすことのできる清掃能力を高めた空気調和機となる。
【図面の簡単な説明】
【図１】本発明による空気調和機の概略構成を示す要部断面図である。
【図２】本発明による空気調和機のフィルタを本体外に引き出した状態を示す要部断面図である。
【図３】本発明による第一の実施例のフィルタ清掃装置を示す要部拡大断面図である。
【図４】本発明による第一の実施例のブラシの構成を示す要部拡大斜視図（Ａ）と動作を説明する説明図（Ｂ）である。
【図５】本発明による第二の実施例のフィルタ清掃装置を示す要部拡大断面図である。
【図６】本発明による第二の実施例のブラシの構成を示す要部拡大斜視図（Ａ）と動作を説明する説明図（Ｂ）である。
【図７】本発明の第三の実施例のフィルタ清掃装置の要部上面図（Ａ）および要部拡大上面図（Ｂ）である。
【図８】本発明の第三の実施例の動作を説明する説明図である。
【符号の説明】
１  本体
２  吸込口
３  吹出口
４  空気通路
５  フィルタ
６  送風機
７  熱交換器
８  ドレンパン
９  ベース
１０  上面パネル
１１  前面パネル
１２  開閉パネル
１３  フィルタ清掃装置
１３ａ    集塵ボックス
１４  スライド手段（駆動モ─タ）
１５  第１清掃ブラシ
１６  支持具
１７  ボトムカバー
１８  第２清掃ブラシ
１８ａ  突出部
１９  トップカバー
２０  取付台座
２０ａ  凹部
２１  永久磁石
２２  電磁ボックス
２２ａ  係合爪
２２ｂ  凹部
２３  電磁石
２３ａ  コイル
２４  駆動モータ
２５  カム
２５ａ  突部
２６  支持具
２６ａ  凹溝部
２６ｂ  バネ
２７  取付具
２８  凹凸部
２８ａ  凹部
２８ｂ  凸部
２９  突出部
３０  バネ
【図１】
2005009756.tif 000003
【図２】
2005009756.tif 000004
【図３】
2005009756.tif 000005
【図４】
2005009756.tif 000006
【図５】
2005009756.tif 000007
【図６】
2005009756.tif 000008
【図７】
2005009756.tif 000009
【図８】
2005009756.tif 000010